(57)【要約】【課題】特性インピーダンスの変化が小さく、かつ内部導体の相対的ズレを生じさせずに同軸ケーブルの保持を確実に行うこと。【解決手段】保持対象の同軸ケーブル２１が接続されるベース１上に設けられ、同軸ケーブル２１の長手方向に沿って設けられた凸部４，５を有し、各凸部４，５が同軸ケーブル２１の外周面を圧接する保持部２と、ベース１上であって同軸ケーブル２１を介し保持部２に対向して設けられ、各凸部４，５間に対応する位置に形成された凸部８を有し、凸部８が同軸ケーブル２１の外周面を圧接する保持部３とを備え、対向する保持部２，３が、内部導体２６を含めて同軸ケーブル２１をジグザグに挟み込む。【選択図】      図３
2004336840.tif 000002
【特許請求の範囲】
【請求項１】
保持対象の同軸ケーブルが接続されるベース上に設けられ、該同軸ケーブルの長手方向に沿って設けられた複数の第１の凸部を有し、各第１の凸部が前記同軸ケーブルの外周面を圧接する第１保持部と、
前記ベース上であって前記同軸ケーブルを介し前記第１保持部に対向して設けられ、各第１の凸部間に対応する位置に形成された１以上の第２の凸部を有し、各第２の凸部が前記同軸ケーブルの外周面を圧接する第２保持部と、
を備え、対向する前記第１保持部と前記第２保持部とが前記同軸ケーブルをジグザグに挟み込むことを特徴とする同軸ケーブル保持具。
【請求項２】
前記同軸ケーブルの長手方向に対して前記第１の凸部と前記第２の凸部とが交互に配置されることを特徴とする同軸ケーブル保持具。
【請求項３】
前記第１の凸部および／または前記第２の凸部は、前記同軸ケーブルに接する部分を、前記同軸ケーブルの断面形状に対応した凹部を有することを特徴とする請求項１または２に記載の同軸ケーブル保持具。
【請求項４】
前記第１の凸部および／または前記第２の凸部は、下端部が前記ベースに固定され、上部に開口部を形成し、前記第１の凸部と前記第２の凸部との間に前記同軸ケーブルが圧入されることを特徴とする請求項１〜３のいずれか一つに記載の同軸ケーブル保持具。
【請求項５】
前記第１保持部および／または前記第２保持部は、下端部の対向部分以外の周縁部分に切り込みを設け、前記第１保持部および／または前記第２保持部に前記同軸ケーブルを圧する弾性力を生じさせることを特徴とする請求項１〜４のいずれか一つに記載の同軸ケーブル保持具。
【請求項６】
前記ベースは平板であり、
前記第１保持部および前記第２保持部は、前記平板の打ち抜きおよび折り曲げによって形成され、前記平板と一体に形成されることを特徴とする請求項１〜５のいずれか一つに記載の同軸ケーブル保持具。
【請求項７】
前記第１保持部および前記第２保持部は、前記平板の周縁部に形成されることを特徴とする請求項６に記載の同軸ケーブル保持具。
【請求項８】
前記同軸ケーブルは、前記第１保持部と前記第２保持部との間で該同軸ケーブルの外部導体が露呈し、半田付けによって固定されることを特徴とする請求項１〜７のいずれか一つに記載の同軸ケーブル保持具。
【請求項９】
前記平板は、平面アンテナの接地導体板として用いられることを特徴とする請求項６〜８のいずれか一つに記載の同軸ケーブル保持具。
【発明の詳細な説明】
【０００１】
【発明の属する技術分野】
この発明は、同軸ケーブルの電気的特性を劣化させずに保持することができる同軸ケーブル保持具に関し、特に平面アンテナの接地導体板などの平板状部材に同軸ケーブルを保持させる場合に好適な同軸ケーブル保持具に関するものである。
【０００２】
【従来の技術】
同軸ケーブルは、図７に示すように、銅線あるいは銅撚り線などによって実現される内部導体１０１の外周に絶縁体１０２を介して外部導体１０３が設けられ、さらに塩化ビニルなどの被覆部１０４に覆われた構造を有する。外部導体１０３は、銅箔や銅編組などによって実現され、銀メッキされる場合もある。ここで、内部導体１０１と外部導体１０３との間には上述した絶縁体１０２が円環状に配置されるが、この寸法と誘電率によって特性インピーダンスが決定され、伝送損失が少なく、かつノイズに強く外部漏洩の少ない伝送媒体が実現されている。
【０００３】
ここで、ある装置に同軸ケーブルを介して信号伝送を行う場合、この同軸ケーブルは、装置に固定設置されたコネクタを介して接続される。また、平面アンテナなどの小さい装置に対しては、被覆部１０４の周囲を「かしめ」などによって保持していた。
【０００４】
【特許文献１】
特開平９−２０５３０５号公報
【０００５】
【発明が解決しようとする課題】
しかしながら、上述した従来のコネクタ接続では、コネクタの設置による装置の大型化を余儀なくされ、しかもコネクタによる伝送ロスが発生するという問題点があった。
【０００６】
一方、かしめによって同軸ケーブルを保持させる場合、同軸ケーブルの外周から圧力がかかるため、外部導体１０３が縮小し、絶縁体１０２も縮小し、結局、絶縁体１０２の厚さが小さくなってしまう。この結果、同軸ケーブルの特性インピーダンスが局所的に変化し、反射および通過損失が生じることになり、信号伝送あるいは電力供給を効率よく行うことができないという問題点があった。
【０００７】
また、かしめによって同軸ケーブルを保持する場合、同軸ケーブルをねじるなどによって、内部導体１０１が、外部導体１０３などの他の同軸ケーブル構成部分に対して相対的なズレが生じ、保持しているにもかかわらず、同軸ケーブルの端部において内部導体１０１のみが飛び出してしまうことがあった。このため、内部導体１０１をアンテナの放射素子などに半田付けなどによって接合している場合には、内部導体の機械的な移動によって接合の信頼性が低下するという問題点があった。
【０００８】
この発明は上記に鑑みてなされたもので、特定インピーダンスの変化が少なく、かつ内部導体の相対的ズレを生じさせずに同軸ケーブルの保持を確実に行うことができる同軸ケーブル保持具を提供することを目的とする。
【０００９】
【課題を解決するための手段】
上記目的を達成するため、請求項１にかかる同軸ケーブル保持具は、保持対象の同軸ケーブルが接続されるベース上に設けられ、該同軸ケーブルの長手方向に沿って設けられた複数の第１の凸部を有し、各第１の凸部が前記同軸ケーブルの外周面を圧接する第１保持部と、前記ベース上であって前記同軸ケーブルを介し前記第１保持部に対向して設けられ、各第１の凸部間に対応する位置に形成された１以上の第２の凸部を有し、各第２の凸部が前記同軸ケーブルの外周面を圧接する第２保持部と、を備え、対向する前記第１保持部と前記第２保持部とが前記同軸ケーブルをジグザグに挟み込むことを特徴とする。
【００１０】
この請求項１の発明によれば、対向する前記第１保持部と前記第２保持部とが前記同軸ケーブルをジグザグに挟み込み、内部導体自体もジグザグにし、内部導体が、外部導体などの他の同軸ケーブル構成部に対して相対的にずれないようにするとともに、保持領域における同軸ケーブルの断面形状を、保持しないときの同軸ケーブルの断面形状とほぼ同じにして同軸ケーブルを保持するようにし、同軸ケーブルの変形による特性インピーダンスの変化を小さくしている。
【００１１】
また、請求項２にかかる同軸ケーブル保持具は、上記の発明において、前記同軸ケーブルの長手方向に対して前記第１の凸部と前記第２の凸部とが交互に配置されることを特徴とする。
【００１２】
また、請求項３にかかる同軸ケーブル保持具は、上記の発明において、前記第１の凸部および／または前記第２の凸部は、前記同軸ケーブルに接する部分を、前記同軸ケーブルの断面形状に対応した凹部を有することを特徴とする。
【００１３】
また、請求項４にかかる同軸ケーブル保持具は、上記の発明において、前記第１の凸部および／または前記第２の凸部は、下端部が前記ベースに固定され、上部に開口部を形成し、前記第１の凸部と前記第２の凸部との間に前記同軸ケーブルが圧入されることを特徴とする。
【００１４】
また、請求項５にかかる同軸ケーブル保持具は、上記の発明において、前記第１保持部および／または前記第２保持部は、下端部の対向部分以外の周縁部分に切り込みを設け、前記第１保持部および／または前記第２保持部に前記同軸ケーブルを圧する弾性力を生じさせることを特徴とする。
【００１５】
また、請求項６にかかる同軸ケーブル保持具は、上記の発明において、前記ベースは平板であり、前記第１保持部および前記第２保持部は、前記平板の打ち抜きおよび折り曲げによって形成され、前記平板と一体に形成されることを特徴とする。
【００１６】
また、請求項７にかかる同軸ケーブル保持具は、上記の発明において、前記第１保持部および前記第２保持部は、前記平板の周縁部に形成されることを特徴とする。
【００１７】
また、請求項８にかかる同軸ケーブル保持具は、上記の発明において、前記同軸ケーブルは、前記第１保持部と前記第２保持部との間で該同軸ケーブルの外部導体が露呈し、半田付けによって固定されることを特徴とする。
【００１８】
また、請求項９にかかる同軸ケーブル保持具は、上記の発明において、前記平板は、平面アンテナの接地導体板として用いられることを特徴とする。
【００１９】
【発明の実施の形態】
以下に添付図面を参照して、この発明にかかる同軸ケーブル保持具の好適な実施の形態を詳細に説明する。
【００２０】
図１は、この発明の実施の形態である同軸ケーブル保持具の一方側からみた斜視図である。また、図２は、この発明の実施の形態である同軸ケーブル保持具の他方側からみた斜視図である。さらに、図３は、図１および図２に示した同軸ケーブル保持具の要部断面図である。また、図４は、図３に示した同軸ケーブル保持具のＡ−Ａ線断面図である。
【００２１】
図１〜図４において、この同軸ケーブル保持具１０は、周縁近傍に取り付け用の孔１１を有した平板状のベース１の周縁近傍に２つの保持部２，３を有する。保持部２，３は、互いに向き合う位置にそれぞれ凸部４，５、８を有する。また、凸部４，５と凸部８とは、保持状態の同軸ケーブル２２の長手方向に対して互い違いに設けられる。ここでは、凸部８が凸部４，５間のほぼ中間に位置するように設けられる。なお、凸部４，５，８は、それぞれベース１０の平面に対して垂直に設けられた板状部分である。
【００２２】
ここで、保持部３は、同軸ケーブル２２の上下動を抑止するため、凸部８において同軸ケーブル２２が圧せられる部分に凹部９を設けている。この凹部９は、凸部８における同軸ケーブル２２側を切り欠いたものであり、その形状はほぼ同軸ケーブル２２の断面形状に近似させている。一方、保持部２には、凹部９に対応する切り欠きは設けない。ただし、凸部４，５の上部に傾斜部４ａ，５ａをそれぞれ設け、上部側を広い開口にしている。
【００２３】
なお、保持部２，３はいずれも、ベース１と同じ平板に対して打ち抜きを行い、この後、図１に示すように、方向２Ａ，３Ａに折り曲げることによって略直方体に形成される。
【００２４】
図３および図４に示すように、同軸ケーブル２１は、まず保持部２，３の間の上部から挿入される（図３の同軸ケーブル２１ａ）。この場合、上述したように、上部開口は、傾斜部４ａ，５ａによって同軸ケーブル２１の断面半径よりも大きいので、スムーズに挿入動作を行うことができる。特に、傾斜部４ａ，５ａが同軸ケーブル２１ａのガイドとして機能する。同軸ケーブル２１は、さらに凸部４，５と凸部８との間に挿入され、最終的に凸部４，５と凹部９との間に圧入される。ここで、凸部４，５と凹部９との間の距離は、同軸ケーブル２１の半径に比して小さく設定されているため、同軸ケーブル２１はジグザグに蛇行することになる。この結果、同軸ケーブル２１は、長手方向の引っ張りに対しても現保持状態を維持する。
【００２５】
また、一般に同軸ケーブルはねじられることなどによって、内部導体２６とその他の同軸ケーブル構成物との間にズレが生じ、相対的に内部導体２６のみが長手方向に飛び出てしまうことがあるが、この実施の形態では、内部導体２６が他の同軸ケーブル構成物と同じように蛇行しているため、内部導体２６が相対的にずれることがない。この結果、内部導体２６が接続される箇所に大きな機械的応力を与えることがなくなるため、信頼性の高い接続が可能になる。
【００２６】
さらに、同軸ケーブル２１の相反する半径方向から圧せられることがなく、他方が常に開放されているので、保持状態における同軸ケーブル２１の断面形状は、保持しない状態とほとんど変わらない（図３の同軸ケーブル２１ｂ，２１ｃ）。たとえば、同軸ケーブル２１ｂは、凹部９によって圧せられているが、同一断面において保持部２側が開放されているため、保持されていない状態とほぼ同じ断面形状を維持する。また、同軸ケーブル２１ｃは、凸部４ａ，５ａによって圧せられているが、同一断面において保持部３側が開放されているため、保持されていない状態とほぼ同じ断面形状を維持する。この結果、外部導体２４と内部導体２６との間の絶縁体２５の厚さは、保持されない状態の厚さｒ１と保持された状態の厚さｒ２とで大きな差が生じないため、この同軸ケーブル保持具１０による保持によって同軸ケーブル２１の特性インピーダンスが大幅に変化することがない。
【００２７】
なお、保持部２の下部周辺には切り込み６が設けられている。この結果、保持部２の底部７は、保持部３側の一辺で支えられることになり、図３の矢印Ｂ方向に撓むことが可能となり、この撓みの弾性力によって同軸ケーブル２１は保持部３側に圧せられ、所定の圧力で保持されることになる。
【００２８】
ここで、この発明の実施の形態の変形例について説明する。図５は、この発明の実施の形態の変形例の構成を示す同軸ケーブル保持具の要部断面図である。図５に示すように、この変形例では、保持部２，３との間において同軸ケーブル２１の被覆部が剥がされ、外部導体２４が露出した状態で保持される。したがって、剥がされた被覆部に対応する厚み分、保持部２，３間は狭くなる。そして、この露出した外部導体２４を覆うように半田付けを行い、保持部２，３と外部導体２４とを固着する。これによって、一層堅固に同軸ケーブル２１を保持することができる。なお、同軸ケーブル２１の両端部は、必ずしも被覆部を設けておく必要はない。
【００２９】
なお、上述した実施の形態およびその変形例では、銅板をもとに形成されているが、これに限らず、メッキされた平板でもよい。さらに、ベース１は平板でなくてもよく、保持部２，３が固定されるものであればよい。
【００３０】
ここで、同軸ケーブル保持具１０を適用した平面アンテナについて説明する。図６は、同軸ケーブル保持具１０を用いた平面アンテナの構成を示す断面図である。図６において、この平面アンテナ４０は、接地導体板４１上に、内部に空間領域４２ａを有する誘電体４２がケースとして設けられる。さらに、この誘電体４２上部に誘電体膜４４を介して放射素子４３が設けられる。接地導体板４１は、略円形をなし、放射素子４３は、略正方形をなしている。なお、接地導体板４１は、上述したベース１に対応する。
【００３１】
接地導体板４１と放射素子４３の間であって、誘電体４２の外部から、接地導体板４１上に這わせられた同軸ケーブル２１が空間領域４２ａ内に挿入され、その外部導体４５ｂが誘電体４２によって固定される。また、外部導体４５ｂは、接地導体板４１に電気的に接合される。
【００３２】
ここで、同軸ケーブル２１は、接地導体板４１の周縁部の保持部２，３によって保持される。この場合、平面アンテナ４０の取り付け時に、同軸ケーブル２１がどのようにねじられても、保持部２，３において内部導体４５ａも蛇行しているため、内部導体４５ａが外部導体４５ｂに対して相対的にずれることなく、接合部４５ｃにおける機械的ズレをなくすことができ、信頼性の高い平面アンテナを実現できる。また、保持部２，３において同軸ケーブル２１の伝送ロスが少ないため、効率的な給電を行うことができる。なお、上述した変形例に示したように、保持部２、３において同軸ケーブル２１を半田付けしてもよい。
【００３３】
なお、上述した実施の形態では、保持部２，３の一方のみに、凹部９や傾斜部４ａ，５ａ、あるいは切り込み６を設けるようにしたが、これに限らず、双方あるいはいずれか一方に設けるようにしてもよい。
【００３４】
また、上述した実施の形態では、保持部２，３をベースと一体に形成するようにしていたが、これに限らず、個別に保持部２，３を形成するようにしてもよい。
【００３５】
【発明の効果】
以上説明したように、この発明によれば、対向する第１保持部と第２保持部とが同軸ケーブルをジグザグに挟み込み、内部導体自体もジグザグにし、内部導体が、外部導体などの他の同軸ケーブル構成部に対して相対的にずれないようにしているので、信頼性の高い同軸ケーブルの保持を行うことができるとともに、保持領域における同軸ケーブルの断面形状を、保持しないときの同軸ケーブルの断面形状とほぼ同じにして同軸ケーブルを保持するようにし、同軸ケーブルの変形による特性インピーダンスの変化を小さくしているので、効率の良い信号伝送あるいは給電を行うことができるという効果を奏する。
【００３６】
また、この発明によれば、前記第１保持部および／または前記第２保持部は、下端部の対向部分以外の周縁部分に切り込みを設け、前記第１保持部および／または前記第２保持部に前記同軸ケーブルを圧する弾性力を生じさせるようにしているので、同軸ケーブルの保持を確実に行うことができるという効果を奏する。
【００３７】
また、この発明によれば、前記第１保持部および前記第２保持部が、平板であるベースの打ち抜きおよび折り曲げによって形成され、ベースと一体に形成されるようにしているので、製造効率を高めることができるという効果を奏する。
【００３８】
また、この発明によれば、前記第１保持部と前記第２保持部との間で同軸ケーブルの外部導体を露呈し、この部分を半田付けによって固定するようにしているので、同軸ケーブルを一層確実に保持することができるという効果を奏する。
【図面の簡単な説明】
【図１】この発明の実施の形態である同軸ケーブル保持具の一方側からみた斜視図である。
【図２】この発明の実施の形態である同軸ケーブル保持具の他方側からみた斜視図である。
【図３】図１および図２に示した同軸ケーブル保持具の要部断面図である。
【図４】図３に示した同軸ケーブル保持具のＡ−Ａ線断面図である。
【図５】この発明の実施の形態の変形例の構成を示す同軸ケーブル保持具の要部断面図である。
【図６】同軸ケーブル保持具を用いた平面アンテナの構成を示す断面図である。
【図７】同軸ケーブルの概要構成を示す図である。
【符号の説明】
１  ベース
２，３  保持部
４，５，８  凸部
４ａ，５ａ  傾斜部
６  切り込み
７  底部
９  凹部
１０  同軸ケーブル保持具
１１  孔
２１，２１ａ〜２１ｃ  同軸ケーブル
２３  被覆部
２４，４５ｂ  外部導体
２５，４２  誘電体
２６，４５ａ  内部導体
３１  半田
４０  平面アンテナ
４１  接地導体板
４２ａ  空間領域
４３  放射素子
４４  誘電体膜
４５ｃ  接合部
【図１】
2004336840.tif 000003
【図２】
2004336840.tif 000004
【図３】
2004336840.tif 000005
【図４】
2004336840.tif 000006
【図５】
2004336840.tif 000007
【図６】
2004336840.tif 000008
【図７】
2004336840.tif 000009